(57)【特許請求の範囲】
【請求項１】
木造住宅建築物において、上階と下階との間の床部に設けられる遮音床構造であって、
床支持部材によって支持されて、該床支持部材の上面に敷設された床下地材と、該床下地材の上面に敷設された厚さ１〜１０ｍｍのフェルトシート材と、該フェルトシート材の上面に敷設された遮音積層板状体と、該遮音積層板状体の上面に敷設された床仕上材とを含んで構成され、
前記遮音積層板状体は、厚さ５〜２４ｍｍの合板と、厚さ９〜２１ｍｍの石膏ボードと、厚さ４〜１２ｍｍのアスファルト系制振材と、厚さ９〜２１ｍｍの石膏ボードとを、これらの順番で積層すると共に、接着剤、粘着剤、又はビス、釘、ステープル等の打込み固定部材を用いて接合一体化して形成されており、
前記遮音積層板状体と前記床下地材との間に前記フェルトシート材が介在することで、浮き床構造となっている遮音床構造。
【請求項２】
木造住宅建築物において、上階と下階との間の床部に設けられる遮音床構造であって、
床支持部材によって支持されて、該床支持部材の上面に敷設された床下地材と、該床下地材の上面に敷設された厚さ１〜１０ｍｍのフェルトシート材と、該フェルトシート材の上面に敷設された遮音積層板状体と、該遮音積層板状体の上面に敷設された床仕上材とを含んで構成され、
前記遮音積層板状体は、厚さ９〜２１ｍｍの石膏ボードと、厚さ６〜２０ｍｍのアスファルト系制振材と、厚さ９〜２１ｍｍの石膏ボードとを、これらの順番で積層すると共に、接着剤、粘着剤、又はビス、釘、ステープル等の打込み固定部材を用いて接合一体化して形成されており、
前記遮音積層板状体と前記床下地材との間に前記フェルトシート材が介在することで、浮き床構造となっている遮音床構造。
【請求項３】
前記床支持部材の下方に吊り天井が取り付けられており、該吊り天井の天井材の上方に積層されて、アスファルト系、ゴム系又は樹脂系弾性系面材と、１層以上の繊維系吸音材とが設けられている請求項１又は２項記載の遮音床構造。
【請求項４】
前記天井材が厚さ９〜２１ｍｍの石膏ボードからなり、前記アスファルト系、ゴム系又は樹脂系弾性系面材が厚さ２〜１２ｍｍのアスファルト系制振材からなり、前記１層以上の繊維系吸音材が合計の厚さが５０〜２００ｍｍのグラスウール又はロックウールからなる請求項３記載の遮音床構造。
【発明の詳細な説明】
【技術分野】
【０００１】
本発明は、遮音床構造に関し、特に木造住宅建築物において、上階と下階との間の床部に設けられる遮音床構造に関する。
【背景技術】
【０００２】
例えば２階以上の複数階のフロアを有する木造住宅建築物では、上階のフロアで生じる床衝撃音が下階のフロアに伝達されるのを軽減して、騒音等による弊害を回避できるようにするための種々の工夫がなされている。床衝撃音には、例えば子供が飛び跳ねたり走り回ったりした時の音や、階段、廊下等における足音などの重量床衝撃音と、物の落下音、椅子や家具の移動音、掃除機を引きずる音などの軽量床衝撃音とがあり、これらの衝撃音に対しては、例えば床下地板の上に合成ゴム等からなる緩衝材を敷設すると共に、緩衝材の上に質量１５ｋｇ／ｍ2以上の床下地材を敷設し、これらの床下地板、緩衝材及び床下地材を相互に接着固定したり、ネジ等を用いて貫通固定したりして形成した遮音床構造によって、遮音性能の向上が図られている（例えば、特許文献１参照）。
【先行技術文献】
【特許文献】
【０００３】
【特許文献１】特開平１１−１４１０３９号公報
【発明の概要】
【発明が解決しようとする課題】
【０００４】
一方、近年、例えば二世帯住宅用の木造住宅建築物の床構造として、ＪＩＳ Ａ １４１８−２：２０００による重量床衝撃音性能がＬＨ−６０、ＪＩＳ Ａ １４１８−１：２０００による軽量床衝撃音性能がＬＬ−５５、ＪＩＳ Ａ １４１７による室内音圧レベル差性能（遮音性能）がＤ−５０といった性能を満たす、遮音性能の高い仕様の床構造を備える住宅建築物が望まれており、またこのような遮音性能の高い仕様の床構造を、主として市販の材料を組み合わせて、簡易に且つコンパクトに形成できるようにする技術の開発が望まれている。
【０００５】
本発明は、遮音性能の高い仕様の床構造を、主として市販の材料を組み合わせて、簡易に且つコンパクトに形成できる遮音床構造を提供することを目的とする。
【課題を解決するための手段】
【０００６】
本発明は、木造住宅建築物において、上階と下階との間の床部に設けられる遮音床構造であって、床支持部材によって支持されて、該床支持部材の上面に敷設された床下地材と、該床下地材の上面に敷設された厚さ１〜１０ｍｍのフェルトシート材と、該フェルトシート材の上面に敷設された遮音積層板状体と、該遮音積層板状体の上面に敷設された床仕上材とを含んで構成され、前記遮音積層板状体は、厚さ５〜２４ｍｍの合板と、厚さ９〜２１ｍｍの石膏ボードと、厚さ４〜１２ｍｍのアスファルト系制振材と、厚さ９〜２１ｍｍの石膏ボードとを、これらの順番で積層すると共に、接着剤、粘着剤、又はビス、釘、ステープル等の打込み固定部材を用いて接合一体化して形成されており、前記遮音積層板状体と前記床下地材との間に前記フェルトシート材が介在することで、浮き床構造となっている遮音床構造を提供することにより、上記目的を達成したものである。
【０００７】
また、本発明は、木造住宅建築物において、上階と下階との間の床部に設けられる遮音床構造であって、床支持部材によって支持されて、該床支持部材の上面に敷設された床下地材と、該床下地材の上面に敷設された厚さ１〜１０ｍｍのフェルトシート材と、該フェルトシート材の上面に敷設された遮音積層板状体と、該遮音積層板状体の上面に敷設された床仕上材とを含んで構成され、前記遮音積層板状体は、厚さ９〜２１ｍｍの石膏ボードと、厚さ６〜２０ｍｍのアスファルト系制振材と、厚さ９〜２１ｍｍの石膏ボードとを、これらの順番で積層すると共に、接着剤、粘着剤、又はビス、釘、ステープル等の打込み固定部材を用いて接合一体化して形成されており、前記遮音積層板状体と前記床下地材との間に前記フェルトシート材が介在することで、浮き床構造となっている遮音床構造を提供することにより、上記目的を達成したものである。
【０００８】
そして、本発明の遮音床構造は、前記床支持部材の下方に吊り天井が取り付けられており、該吊り天井の天井材の上方に積層されて、アスファルト系、ゴム系又は樹脂系弾性系面材と、１層以上の繊維系吸音材とが設けられていることが好ましい。
【発明の効果】
【０００９】
本発明の遮音床構造によれば、遮音性能の高い仕様の床構造を、主として市販の材料を組み合わせて、簡易に且つコンパクトに形成することができる。
【図面の簡単な説明】
【００１０】
【図１】本発明の好ましい第１実施形態に係る遮音床構造の構成を説明する断面図である。
【図２】本発明の好ましい第１実施形態に係る遮音床構造の要部の層構成の説明図である。
【図３】本発明の好ましい第２実施形態に係る遮音床構造の構成を説明する断面図である。
【図４】本発明の好ましい第２実施形態に係る遮音床構造の要部の層構成の説明図である。
【図５】実施例１の遮音床構造について行った、室内音圧レベル差性能（遮音性能）の実験結果を示すチャートである。
【図６】実施例１の遮音床構造について行った、重量床衝撃音性能及び軽量床衝撃音性能の実験結果を示すチャートである。
【図７】実施例２の遮音床構造について行った、室内音圧レベル差性能（遮音性能）の実験結果を示すチャートである。
【図８】実施例２の遮音床構造について行った、重量床衝撃音性能及び軽量床衝撃音性能の実験結果を示すチャートである。
【発明を実施するための形態】
【００１１】
図１に示す本発明の好ましい第１実施形態に係る遮音床構造１０は、例えば２階以上の複数階のフロアが設けられた、軸組工法や枠組壁工法による木造住宅建築物において、下階３１の天井部でもある上階３０と下階３１との間の床部に、好ましくはＪＩＳ Ａ １４１８−２：２０００による重量床衝撃音性能がＬＨ−６０、ＪＩＳ Ａ １４１８−１：２０００による軽量床衝撃音性能がＬＬ−５５、ＪＩＳ Ａ １４１７による室内音圧レベル差性能（遮音性能）がＤ−５０といった高い遮音性能と同様の、これに近似する高い遮音性能を発揮できる仕様の床構造として採用されたものである。また、本第１実施形態の遮音床構造１０は、このような高い遮音性能を有する床部を、特別に加工した部材を用いることなく、主として汎用されている市販の材料を組み合わせて容易に形成できるようにすると共に、遮音性能を付与する部分の厚さを過度に厚くすることなく、コンパクトに形成できるようにする機能を備える。
【００１２】
そして、本第１実施形態の遮音床構造１０は、木造住宅建築物において、上階３０と下階３１との間の床部に設けられる床構造であって、図１及び図２に示すように、床支持部材１１ａ，１１ｂによって支持されて、この床支持部材１１ａ，１１ｂの上面に敷設された床下地材１２と、この床下地材１２の上面に敷設された弾性力を有するシート材１３と、この弾性力を有するシート材１３の上面に敷設された遮音積層板状体１４と、この遮音積層板状体１４の上面に敷設された床仕上材１５とを含んで構成され、遮音積層板状体１４は、木質系面材又はセメント系面材１６と、下層重量面材１７と、アスファルト系、ゴム系又は樹脂系弾性系面材１８と、上層重量面材１９とを、これらの順番で積層すると共に、接着剤、粘着剤、又はビス、釘、ステープル等の打込み固定部材（図示せず）を用いて接合一体化して形成されており、遮音積層板状体１４と床下地材１２との間に弾性力を有するシート材１３が介在することで、浮き床構造となっている。
【００１３】
また、本第１実施形態の遮音床構造１０は、床支持部材１２の下方に吊り天井２０が取り付けられており、この吊り天井２０の天井材２１の上方に積層されて、アスファルト系、ゴム系又は樹脂系弾性系面材２２と、１層以上の繊維系吸音材２３ａ，２３ｂとが設けられている。
【００１４】
なお、下層重量面材１７や上層重量面材１９を構成する重量面材は、石膏ボード、石膏板、ケイ酸カルシウム板、スラグ石膏板、火山性ガラス質複層板、セメント板等による、０．５〜４．０の密度を有する面材である。また、床仕上材１５には、単層の部材だけでなく、仕上材に必要な下地材や、床暖房パネル、シ−ト材等を合わせた複層の部材も含まれる。
【００１５】
本第１実施形態によれば、遮音床構造１０の床下地材１２を支持する床支持部材１１ａ，１１ｂは、木造住宅建築物の床部分の骨組みを形成する公知の部材であって、床梁１１ａや床根太１１ｂ等からなる。
【００１６】
床支持部材１１ａ，１１ｂの上面に敷設される床下地材１２は、床下地材として市販されている公知の各種の板状部材を用いることができる。本第１実施形態では、例えば杉材からなる厚さが２４ｍｍの剛床パネルが用いられている。床下地材１２は、通常の施工方法と同様にして、例えばビス、釘、ステープル等の打込み固定部材（図示せず）を用いて床支持部材１１ａ，１１ｂに固定される。
【００１７】
床下地材１２の上面に敷設される弾性力を有するシート材１３は、フェルトをシート状に形成して得られた、公知の各種のフェルト製のシート材料を用いることができる。一般品よりも繊維量を増した遮音フェルトを用いることが好ましい。本第１実施形態では、弾性力を有するシート材１３として、好ましくは厚さ１〜１０ｍｍ程度（本第１実施形態では４ｍｍ）のフェルトシート材が用いられている。弾性力を有するシート材１３は、留め付けることなく、敷設しただけの状態で、或いは適宜仮留めした状態で、床下地材１２の上面に敷設される。
【００１８】
フェルトシート材１３の上面に敷設される遮音積層板状体１４は、上述のように、接着剤、粘着剤、又はビス、釘、ステープル等の打込み固定部材を用いて接合一体化された、木質系面材又はセメント系面材１６と、下層重量面材１７と、アスファルト系、ゴム系又は樹脂系弾性系面材１８と、上層重量面材１９とからなる。これらの部材が接合一化されていることで、板部材としての剛性が高められている。遮音積層板状体１４は、これらの部材を弾性力を有するシート材１３の上面に順次敷設した後に、接合一化することで形成できる他、予めこれらの部材を接合一体化しておいたものを、弾性力を有するシート材１３の上面に敷設することで形成することもできる。
【００１９】
遮音積層板状体１４を形成する木質系面材又はセメント系面材１６は、例えば構造用合板として市販されている厚さが５〜２４ｍｍ程度の公知の各種の合板を用いることができる。本第１実施形態では、例えば厚さ１２ｍｍの針葉樹合板が好ましく用いられている。
【００２０】
下層重量面材１７及び上層重量面材１９は、建築用の石膏ボードとして市販されている厚さが９〜２１ｍｍ程度の公知の各種の石膏ボードを用いることができる。本第１実施形態では、各々、例えば厚さ１２．５ｍｍの硬質石膏ボードが好ましく用いられている。下層重量面材１７と上層重量面材１９とは、これらの目地の位置をずらして配置することが好ましい。
【００２１】
下層重量面材１７と上層重量面材１９との間に挟みこまれるアスファルト系、ゴム系又は樹脂系弾性系面材１８は、例えばアスファルト系遮音材として知られる厚さが４〜１２ｍｍ程度の公知の各種のアスファルト系制振材を用いることができる。本第１実施形態では、例えば密度ρ＝２．３〜３．０の制振材をシート状に形成して得られた、厚さ８ｍｍ程度のアスファルト遮音シートが好ましく用いられている。アスファルト系、ゴム系又は樹脂系弾性系面材１８は、これの自重によって重量床衝撃音の低減に寄与する他、床下地材１２よりも床仕上材１５側に近接して配置されることで、軽量床衝撃音の低減に寄与することも可能になる。
【００２２】
遮音積層板状体１４の上面に敷設される床仕上材１５は、床用の仕上材として市販されている公知の各種の板状部材を用いることができ、本第１実施形態では、例えば厚さが１２ｍｍの木質のフロア材が用いられている。床仕上材１５は、通常の施工方法と同様にして、例えば接着剤やステープル等を用いて遮音積層板状体１４に固定される。
【００２３】
また、本第１実施形態では、上述のように、床支持部材１１ａ，１１ｂの下方に吊り天井２０が取り付けられており、この吊り天井２０の天井材２１の上方に積層されて、アスファルト系、ゴム系又は樹脂系弾性系面材２２と、１層以上（本第１実施形態で２層）の繊維系吸音材２３ａ，２３ｂとが設けられている。
【００２４】
本第１実施形態では、吊り天井２０は、床下地材１２の下方の天井空間に配置された吊木受部材２４から下方に延設する吊木部材２５によって支持された野縁２６の下面に、例えば床下地材１２との間に４３０ｍｍ程度の間隔をおいて、天井材２１を取り付けることによって形成されている。天井材２１の上方には、野縁２６の上面側に敷設されて、アスファルト系、ゴム系又は樹脂系弾性系面材２２と、２層の繊維系吸音材２３ａ，２３ｂとが積層されている。
【００２５】
天井材２１は、天井用の下地材或いは仕上材として市販されている公知の各種の板状部材を用いることができる。本第１実施形態では、例えば厚さが１２．５ｍｍの強化石膏ボードが用いられている。天井材２１は、通常の施工方法と同様にして、例えば接着剤やステープル等を用いて野縁２６に固定される。
【００２６】
野縁２６の上面側に敷き込まれるアスファルト系、ゴム系又は樹脂系弾性系面材２２は、遮音積層板状体１４を形成する上述のアスファルト系、ゴム系又は樹脂系弾性系面材１８と同様に、例えばアスファルト系遮音材として知られる厚さが２〜１２ｍｍ程度の公知の各種のアスファルト系制振材を用いることができる。本第１実施形態では、例えば密度ρ＝２．３〜３．０の制振材をシート状に形成して得られた、厚さ４ｍｍ程度のアスファルト遮音シートが好ましく用いられている。
【００２７】
アスファルト系制振材２２の上面に敷設される１層以上の繊維系吸音材２３ａ，２３ｂは、建築用の吸音材として市販されている公知の各種のグラスウール又はロックウールを用いることができる。１層以上の繊維系吸音材２３ａ，２３ｂは、合計の厚さが５０〜２００ｍｍのとなるようにすることが好ましい。本第１実施形態では、２層の繊維系吸音材２３ａ，２３ｂとして、各々、例えば厚さ５０ｍｍのグラスウールが好ましく用いられている。
【００２８】
天井材２１の上方にアスファルト系制振材２２が敷設されていることにより、天井内空間の音圧変動を原因として発生する天井材２１の振動エネルギーを効果的に低減することが可能になる。また、天井材２１の上方に１層以上の繊維系吸音材２３ａ，２３ｂが合計の厚さが５０〜２００ｍｍとなるように敷設されていることにより、天井内空間で発生する音圧変動のピークを効果的に低減することが可能になる。特に、厚さ５０ｍｍのグラスウールによる繊維系吸音材２３ａ，２３ｂが２層敷設されていることにより、６３Ｈzのオクターブバンド帯域（４４〜８８Ｈz）における音圧変動のピークを効果的に低減することがが可能になる。
【００２９】
そして、上述の構成を備える本第１実施形態の遮音床構造１０によれば、遮音性能の高い仕様の床構造を、主として市販の材料を組み合わせて、簡易に且つコンパクトに形成することが可能になる。
【００３０】
すなわち、本第１実施形態によれば、遮音床構造１０は、床下地材１２と、床下地材１２の上面に敷設された弾性力を有するシート材１３と、弾性力を有するシート材１３の上面に敷設された遮音積層板状体１４と、遮音積層板状体１４の上面に敷設された床仕上材１５とを含んで構成され、遮音積層板状体１４は、木質系面材又はセメント系面材１６と、下層重量面材１７と、アスファルト系、ゴム系又は樹脂系弾性系面材１８と、上層重量面材１９とを接合一体化して形成されており、遮音積層板状体１４と床下地材１２との間に弾性力を有するシート材１３が介在することで、一種の浮き床構造となっているので、市販の構造用合板や石膏ボードを用いて、特に厚さの大きな特別仕様の部材を用いることなく、安価に且つコンパクトに形成することが可能になる。
【００３１】
また、遮音積層板状体１４の下層重量面材１７と上層重量面材１９との間に挟みこまれたアスファルト系、ゴム系又は樹脂系弾性系面材１８による、例えば６３〜８１Ｈzオクターブバンド帯域といった広帯域における振動エネルギーを効果的に低減するという作用や、床下地材１２との間に弾性力を有するシート材１３を一体化することなく介在させることで、遮音積層板状体１４が床下地材１２から絶縁した一種の浮き床構造となっていることによる、例えば６３〜８１Ｈzオクターブバンド帯域といった広帯域における伝播エネルギーを効果的に低減するという作用によって、本第１実施形態の遮音床構造１０は、ＪＩＳ Ａ １４１８−２：２０００による重量床衝撃音性能がＬＨ−６０、ＪＩＳ Ａ １４１８−１：２０００による軽量床衝撃音性能がＬＬ−５５、ＪＩＳ Ａ １４１７による室内音圧レベル差性能（遮音性能）がＤ−５０といった高い遮音性能と同様の、これに近似する高い遮音性能を、効果的に発揮することが可能になる。
【００３２】
さらに、本第１実施形態によれば、弾性力を有するシート材１３は、床下地材１２の上面に敷設されていて、遮音積層板状体１４を挟んで床仕上材１５から離れた下層部分に設けられているので、例えば床仕上材１５の上を歩行する居住者が、弾性力を有するシート材１３が介在していることで床面が局所的に沈むようなふかふか感を感じることになるのを、効果的に回避することが可能になる。
【００３３】
図３及び図４は、本発明の好ましい第２実施形態に係る遮音床構造１０’を説明するものである。本第２実施形態の遮音床構造１０’は、遮音積層板状体１４’の構成が異なる他は、上記第１実施形態の遮音床構造１０と同様の構成を備えている。ここで、本第２実施形態の遮音床構造１０’における、上記第１実施形態の遮音床構造１０と共通する部分については、共通する符号を付して、その詳細な説明は省略する。
【００３４】
そして、本第２実施形態の遮音床構造１０’は、木造建築物において、上階３０と下階３１との間の床部に設けられる床構造であって、図３及び図４に示すように、床支持部材１１ａ，１１ｂによって支持されて、この床支持部材１１ａ，１１ｂの上面に敷設された床下地材１２と、この床下地材１２の上面に敷設された弾性力を有するシート材１３と、この弾性力を有するシート材１３の上面に敷設された遮音積層板状体１４’と、この遮音積層板状体１４’の上面に敷設された床仕上材１５とを含んで構成され、遮音積層板状体１４’は、下層重量面材１７と、アスファルト系、ゴム系又は樹脂系弾性系面材１８’と、上層重量面材１９とを、これらの順番で積層すると共に、接着剤、粘着剤、又はビス、釘、ステープル等の打込み固定部材（図示せず）を用いて接合一体化して形成されており、遮音積層板状体１４’と床下地材１２との間に弾性力を有するシート材１３が介在することで、浮き床構造となっている。
【００３５】
すなわち、本第２実施形態の遮音床構造１０’では、遮音積層板状体１４’は、上記第１実施形態の遮音積層板状体１４で使用した木質系面材又はセメント系面材１６を用いることなく、これに代えて、下層重量面材１７と上層重量面材１９との間に挟みこまれるアスファルト系、ゴム系又は樹脂系弾性系面材１８’の厚さを、上記第１実施形態のアスファルト系、ゴム系又は樹脂系弾性系面材１８の厚さよりも大きくして形成されている。より具体的には、例えば弾性力を有するシート材１３が厚さ１〜１０ｍｍ（本第２実施形態では４ｍｍ）のフェルトシート材からなり、下層重量面材が厚さ９〜２１ｍｍ（本第２実施形態では１２．５ｍｍ）の石膏ボードからなり、アスファルト系、ゴム系又は樹脂系弾性系面材１８’が厚さ６〜２０ｍｍ（本第２実施形態では１２ｍｍ）のアスファルト系制振材からなり、上層重量面材１９が厚さ９〜２１ｍｍ（本第２実施形態では１２．５ｍｍ）の石膏ボードからなっている。
【００３６】
本第２実施形態の遮音床構造１０’によっても、上記第１実施形態の遮音床構造１０と同様の作用効果が奏されることに加えて、木質系面材又はセメント系面材１６を用いていないことで遮音積層板状体１４’の厚さを薄くして、遮音積層板状体１４’や遮音床構造１０’をよりコンパクトに形成することが可能になる。
【００３７】
なお、本発明は上記各実施形態に限定されることなく種々の変更が可能である。例えば、床支持部材の下方に吊り天井が取り付けられている必要は必ずしもなく、また吊り天井の天上材の上方に積層されて、アスファルト系制振材と、２層のグラスウールとが設けられている必要は必ずしもない。アスファルト系制振材のみが天上材の上方に設けられていても良く、グラスウールが１層のみ設けられていても良い。
【００３８】
また、本発明の遮音床構造は、床梁等の床支持部材に支持させて敷設された床下地材との間に弾性力を有するシート材を介在させて遮音積層板状体が設けられていることによって、高い遮音性能が得られるようになっているので、床支持部材の下方に吊り天井が取り付けられていない、例えば下階から床梁が見える梁表しの天上による上階と下階との間の床構造においても、有効に採用することができる。
【実施例】
【００３９】
以下、実施例により、本発明の遮音床構造についてさらに詳細に説明するが、本発明はこれらに限定されるものではない。
【００４０】
図１及び図２に示す上記第１実施形態の遮音床構造１０と同様の構成を備える遮音構造を実施例１の遮音構造とした。図３及び図４に示す上記第２実施形態の遮音床構造１０’と同様の構成を備える遮音構造を実施例２の遮音構造とした。実施例１の遮音構造と実施例２の遮音構造に対し、ＪＩＳ １４１８に従って、重量床衝撃音性能及び軽量床衝撃音性能について実験すると共に、ＪＩＳ １４１７（建築物の空気音遮断性能の測定方法）に従って、上階の空間と下階に空間との間の室内音圧レベル差性能（遮音性能）についてを実験した。実験結果を図５〜図８に示す。なお、音源室は上階の８畳間、受音室は下階の８畳間とした。
【００４１】
図５〜図８に示す実験結果によれば、本発明に係る実施例１の遮音構造及び実施例２の遮音構造は、いずれも、ＪＩＳ Ａ １４１８−２：２０００による重量床衝撃音性能がＬＨ−６０、ＪＩＳ Ａ １４１８−１：２０００による軽量床衝撃音性能がＬＬ−５５、ＪＩＳ Ａ １４１７による室内音圧レベル差性能（遮音性能）がＤ−５０といった、高い遮音性能と同様の、これに近似する高い遮音性能を備えていることが判明する。
【符号の説明】
【００４２】
１０，１０’  遮音床構造
１１ａ  床梁（床支持部材）
１１ｂ  床根太（床支持部材）
１２  床下地材
１３  弾性力を有するシート材
１４，１４’  遮音積層板状体
１５  床仕上材
１６  木質系面材又はセメント系面材
１７  下層重量面材
１８，１８’  アスファルト系、ゴム系又は樹脂系弾性系面材
１９  上層重量面材
２０  吊り天井
２１  天井材
２２  アスファルト系、ゴム系又は樹脂系弾性系面材
２３ａ  側面接合金物
２３ｂ，２３ｂ  １層以上の繊維系吸音材
２４  吊木受部材
２５  吊木部材
２６  野縁
３０  上階
３１  下階
【図１】
0005901204.tif 000002
【図２】
0005901204.tif 000003
【図３】
0005901204.tif 000004
【図４】
0005901204.tif 000005
【図５】
0005901204.tif 000006
【図６】
0005901204.tif 000007
【図７】
0005901204.tif 000008
【図８】
0005901204.tif 000009